(57)【要約】【課題】取扱い作業性に優れた超音波内視鏡装置を提供すること。【解決手段】超音波内視鏡装置１は、超音波振動子１４及び撮像素子１５を備え、内視鏡コネクタ３０に振動子用接続部３２及び撮像素子用接続部３３を一体に設けた電気コネクタ３４を設けた超音波内視鏡２と、超音波振動子１４を駆動する信号の生成や映像信号の生成を行う超音波観測装置４と、撮像素子１５を駆動する信号の生成や映像信号の生成を行う内視鏡観察装置５と、電気コネクタ３４に接続されたときに振動子用接続部３２と接触する超音波用接続部６８及び撮像素子用接続部３３と接触する内視鏡用接続部６９を一体に設けたケーブルコネクタ６１を一方に備え、他方に１本の信号伝送ケーブル６２の中途部で分岐して、内視鏡観察装置５及び超音波観測装置４にそれぞれ接続される内視鏡装置用コネクタ６７及び超音波装置用コネクタ６６を備えた電気ケーブル６とを具備している。【選択図】図１
2004166916.tif 000002
【特許請求の範囲】
【請求項１】
挿入部の先端部に超音波振動子及び撮像素子を備え、ユニバーサルコードの基端部に設けられた内視鏡コネクタに前記超音波振動子に電気的に接続される振動子用接続部及び前記撮像素子に電気的に接続される撮像素子用接続部を一体に形成した電気コネクタを設けた超音波内視鏡と、
この超音波内視鏡の超音波振動子を駆動する駆動信号の生成及び前記超音波振動子から伝送された電気信号を基に超音波観察画像用の映像信号を生成する信号処理部を有する超音波観測装置と、
前記超音波内視鏡の撮像素子を駆動する駆動信号の生成及び撮像素子から伝送された画像信号を基に内視鏡観察画像用の映像信号を生成する信号処理部を有する内視鏡観察装置と、
前記超音波内視鏡の電気コネクタに接続され、前記振動子用接続部と電気的に接続される超音波用接続部及び前記撮像素子用接続部と電気的に接続される内視鏡用接続部を一体に形成したケーブルコネクタを備え、このケーブルコネクタから延出する１本の信号伝送ケーブルの中途部で分岐して、前記内視鏡観察装置及び前記超音波観測装置にそれぞれ接続される内視鏡コネクタ及び超音波用コネクタを有する電気ケーブルと、
を具備することを特徴とする超音波内視鏡装置。
【請求項２】
前記超音波内視鏡の電気コネクタ内及び前記電気ケーブルのケーブルコネクタ内を、電気的な干渉を防止する複数のシールド空間に分割したことを特徴とする請求項１に記載の超音波内視鏡装置。
【請求項３】
前記コネクタ内に各接続部を構成する電気部品を群にして配列するとき、各接続部を構成する電気部品のうち、電気的な干渉に影響を及ぼす電気部品同士を、距離が最も離れる位置関係に配置したことを特徴とする請求項１に記載の超音波内視鏡装置。
【発明の詳細な説明】
【０００１】
【発明の属する技術分野】
本発明は、挿入部の先端部に超音波振動子と撮像素子とを備えた超音波内視鏡を有する超音波内視鏡装置に関する。
【０００２】
【従来の技術】
近年、内視鏡の先端部に撮像素子に加えて超音波送受を行う超音波振動子を配設した超音波内視鏡が実用化されている。この超音波内視鏡では体腔壁表面をとらえた内視鏡観察画像に加えて、この体腔壁より内部の断層像である超音波観察画像を得られる。
【０００３】
図５に示すように超音波内視鏡装置８１は、超音波内視鏡８２と、照明光を供給する光源装置８３と、超音波観測装置８４と、内視鏡観察装置８５と、超音波用電気ケーブル８６と、内視鏡用電気ケーブル８７と、表示装置であるモニタ８８とで主に構成される。
【０００４】
前記超音波内視鏡８２は、細長な挿入部９１と、この挿入部９１の基端部に連設する操作部９２と、この操作部９２から延出する可撓性を有するユニバーサルコード９３とで主に構成されており、前記ユニバーサルコード９３の基端部には前記光源装置８３に着脱自在に接続される内視鏡コネクタ９４が設けられている。
【０００５】
前記挿入部９１は、超音波振動子９５及び撮像素子９６を内蔵した硬質の先端部９７と、この先端部９７に連設する湾曲自在に構成された湾曲部９８と、この湾曲部９８に連設する柔軟性を有する可撓管部９９とで構成されている。一方、前記内視鏡コネクタ９４には前記超音波観測装置８４に接続される超音波用電気ケーブル８６が電気的に接続される超音波用コネクタ１０１及び前記内視鏡観察装置８５に接続される内視鏡用電気ケーブル８７が電気的に接続される内視鏡コネクタ１０２が設けられている。
【０００６】
したがって、前記超音波内視鏡８２を用いて検査等を行う場合には、前記超音波内視鏡８２の内視鏡コネクタ９４に設けられている超音波用コネクタ１０１及び内視鏡コネクタ１０２に電気ケーブル８６、８７を接続する作業が行われるとともに、検査終了後には前記電気ケーブル８６、８７をそれぞれのコネクタ１０１、１０２から取り外す作業が行われる。さらに、この超音波内視鏡８２を洗浄消毒する際には、それぞれのコネクタ１０１、１０２に水密キャップ（不図示）を被せ、その後、洗浄消毒作業を行う。
【０００７】
【発明が解決しようとする課題】
しかしながら、上述した超音波用コネクタ１０１及び内視鏡コネクタ１０２に電気ケーブル８６、８７を接続する作業及び前記コネクタ１０１、１０２に取り付けられている電気ケーブル８６、８７を取り外す作業や、それぞれのコネクタ１０１、１０２に水密キャップを被せる作業は、作業者にとって煩わしい作業の１つであった。これは、一般の内視鏡では内視鏡コネクタにコネクタが１つだけ設けられている構成であったのに対し、前記超音波内視鏡では内視鏡コネクタにコネクタを２つ設けられた構成であるためである。また、内視鏡コネクタにコネクタが２つ設けられていることによって、一方のコネクタに電気ケーブルを接続することを忘れてしまったり、水密キャップを装着することを忘れてしまう等の作業ミスの要因になっている。
【０００８】
本発明は上記事情に鑑みてなされたものであり、取扱い作業性に優れた超音波内視鏡装置を提供することを目的にしている。
【０００９】
【課題を解決するための手段】
本発明の超音波内視鏡装置は、挿入部の先端部に超音波振動子及び撮像素子を備え、ユニバーサルコードの基端部に設けられた内視鏡コネクタに前記超音波振動子に電気的に接続される振動子用接続部及び前記撮像素子に電気的に接続される撮像素子用接続部を一体に形成した電気コネクタを設けた超音波内視鏡と、この超音波内視鏡の超音波振動子を駆動する駆動信号の生成及び前記超音波振動子から伝送された電気信号を基に超音波観察画像用の映像信号を生成する信号処理部を有する超音波観測装置と、前記超音波内視鏡の撮像素子を駆動する駆動信号の生成及び撮像素子から伝送された画像信号を基に内視鏡観察画像用の映像信号を生成する信号処理部を有する内視鏡観察装置と、前記超音波内視鏡の電気コネクタに接続され、前記振動子用接続部と電気的に接続される超音波用接続部及び前記撮像素子用接続部と電気的に接続される内視鏡用接続部を一体に形成したケーブルコネクタを備え、このケーブルコネクタから延出する１本の信号伝送ケーブルの中途部で分岐して、前記内視鏡観察装置及び前記超音波観測装置にそれぞれ接続される内視鏡コネクタ及び超音波用コネクタを有する電気ケーブルとを具備している。
【００１０】
また、前記超音波内視鏡の電気コネクタ内及び前記電気ケーブルのケーブルコネクタ内を、電気的な干渉を防止する複数のシールド空間に分割している。
【００１１】
さらに、前記コネクタ内に各接続部を構成する電気部品を群にして配列するとき、各接続部を構成する電気部品のうち、電気的な干渉に影響を及ぼす電気部品同士を、距離が最も離れる位置関係に配置している。
【００１２】
これらの構成によれば、超音波内視鏡の内視鏡コネクタに設けられる電気コネクタが１つになるとともに、この電気コネクタに接続される電気ケーブルも１つになる。そして、電気コネクタに、電気ケーブルに設けられているケーブルコネクタを着脱することよって、超音波内視鏡と内視鏡観察装置及び超音波観測装置との電気的な接続作業等を行える。そして、超音波内視鏡の洗浄消毒を行う際にも１つだけ用意した水密キャップを電気コネクタに装着することによって洗浄消毒作業に移れる。つまり、通常の内視鏡と略同じ手順で作業を行える。
【００１３】
また、電気コネクタ内のそれぞれのシールド空間に前記振動子用接続部及び前記撮像素子用接続部を構成する電気部品を配置することによって電気的な干渉が防止される。
【００１４】
さらに、電気的な干渉に影響を及ぼす電気部品同士の距離を最も離れた状態にすることによって、電気的な干渉による不具合が防止される。
【００１５】
【発明の実施の形態】
以下、図面を参照して本発明の実施の形態を説明する。
図１ないし図４は本発明の一実施形態に係り、図１は超音波内視鏡装置を説明する図、図２は超音波内視鏡の内視鏡コネクタを説明する図、図３は電気ケーブルのケーブルコネクタを説明する図、図４はコネクタに設けられる各接続部を構成する電気接点の配置例を説明する図である。
なお、図２（ａ）は電気コネクタを正面から見たときの図、図２（ｂ）は図２（ａ）のＡ−Ａ線断面図、図３（ａ）はケーブルコネクタを正面から見たときの図、図３（ｂ）は図３（ａ）のＢ−Ｂ線断面図、図３（ｃ）は固定用管状部材のカム溝を説明する一部展開図である。
【００１６】
図１に示すように超音波内視鏡装置１は、超音波内視鏡２と、この超音波内視鏡２に照明光を供給する光源装置３と、超音波観測装置４と、内視鏡観察装置５と、前記超音波内視鏡２と前記超音波観測装置４及び内視鏡観察装置５とを電気的に接続する電気ケーブル６と、前記超音波観測装置４及び内視鏡観察装置５と映像ケーブル７を介して接続される表示装置であるモニタ８とで主に構成されている。
【００１７】
前記超音波内視鏡２は、細長な挿入部１１と、この挿入部１１の基端部に連設する操作部１２と、この操作部１２から延出する可撓性を有するユニバーサルコード１３とで主に構成されている。
【００１８】
前記挿入部１１は、超音波振動子１４及び撮像素子１５を内蔵した硬質の先端部１６と、この先端部１６に連設する湾曲自在に構成された湾曲部１７と、この湾曲部１７に連設する柔軟性を有する可撓管部１８とで構成されている。
【００１９】
前記操作部１２には前記湾曲部１７を湾曲操作する湾曲操作ノブ２１や、穿刺針や生検鉗子等の処置具が挿通される処置具挿入口２２、送気・送水を行う際に操作する送気・送水ボタン２３、吸引動作を行う際に操作する吸引ボタン２４、前記モニタ８の画面上に表示される超音波画像や内視鏡画像を静止させたり、写真を撮るための操作を行う際に操作する複数のリモートスイッチ２５等が設けられている。
【００２０】
前記ユニバーサルコード１３の基端部には前記光源装置３に着脱自在に接続される光源コネクタ３１を有する内視鏡コネクタ３０が設けられている。この内視鏡コネクタ３０の側部には前記超音波振動子１４に電気的に接続された振動子用接続部３２と前記撮像素子１５に電気的に接続された撮像素子用接続部３３とが一体な電気コネクタ３４が設けられている。
【００２１】
前記超音波観測装置４は、前記超音波内視鏡２の超音波振動子１４を駆動する駆動信号の生成及びこの超音波振動子１４から伝送された電気信号を基に超音波観察画像用の映像信号を生成する図示しない信号処理部等を有している。一方、前記内視鏡観察装置５には前記超音波内視鏡２の撮像素子１５を駆動する駆動信号の生成及びこの撮像素子１５から伝送された画像信号を基に内視鏡観察画像用の映像信号を生成する信号処理部（不図示）等を有している。
【００２２】
前記電気ケーブル６は、前記超音波内視鏡２の電気コネクタ３４に接続されるケーブルコネクタ６１を備え、このケーブルコネクタ６１から延出する信号伝送ケーブル６２は中途部に設けた分岐部６３で超音波用ケーブル６４と内視鏡用ケーブル６５とに分岐している。この分岐部６３で分岐した内視鏡用ケーブル６５の端部には前記内視鏡観察装置５に接続される内視鏡用コネクタ６７が設けられ、前記超音波用ケーブル６４の端部には前記超音波観測装置４に接続される超音波装置用コネクタ６６が設けられている。
【００２３】
図２及び図３を参照してコネクタの構成を説明する。
図２（ａ）及び図２（ｂ）に示すように前記超音波内視鏡２の電気コネクタ３４は、略管状の内視鏡コネクタ本体３５の側部から突出した円筒凸部３５ａと、この円筒凸部３５ａと前記内視鏡コネクタ本体３５との連通部に配設される略円盤状の内視鏡基板３６と、この内視鏡基板３６を覆うように前記内視鏡コネクタ本体３５の内周面に配置され、前記振動子用接続部３２、撮像素子用接続部３３を構成するための空間部を形成する内視鏡側シールド部材３７とで主に構成されている。
【００２４】
前記円筒凸部３５ａの内周面の所定位置には前記ケーブルコネクタ６１との位置関係を調整する、凸部開口側から底面側に向かう、直線溝３５ｂが設けられている。また、外周面の所定位置には前記ケーブルコネクタ６１を一体的に配置するための突起部３５ｃが突設している。
【００２５】
前記内視鏡基板３６の一面側表面の所定位置には前記振動子用接続部３２を構成する内視鏡側電気接点となるパターン電極として形成された複数の振動子側電極３６ａや前記撮像素子用接続部３３を構成する内視鏡側電気接点となるパターン電極として形成された複数の素子側電極３６ｂが配置されている。
【００２６】
前記内視鏡基板３６の他面側には前記振動子側電極３６ａにそれぞれ対応する複数の振動子用端子３６ｃ及び前記素子側電極３６ｂにそれぞれ対応する複数の素子用端子３６ｄが突設している。そして、前記振動子用端子３６ｃには前記超音波振動子１４から延出する超音波ケーブル３６ｅが電気的に接続され、前記素子用端子３６ｄには前記撮像素子１５から延出する撮像ケーブル３６ｆが電気的に接続されている。なお、前記内視鏡基板の一面側、他面側及び側面の所定位置には電極及び配線がパターン印刷で形成されており、前記内視鏡側シールド部材３７は図示しないグランド電極に導通状態になっている。
【００２７】
一方、図３（ａ）及び図３（ｂ）に示すように前記電気ケーブル６のケーブルコネクタ６１には前記電気コネクタ３４の振動子側電極３６ａに接触するケーブル側電気接点である超音波用押圧接点７０ａを備えた超音波用接続部６８が設けられるとともに、前記素子側電極３６ｂに接触するケーブル側電気接点である内視鏡用押圧接点７０ｂを備えた内視鏡用接続部６９が設けられている。
【００２８】
前記超音波用押圧接点７０ａ及び内視鏡用押圧接点７０ｂは進退自在に配置されている。また、前記超音波用接続部６８及び内視鏡用接続部６９には、複数の超音波用押圧接点７０ａ及び複数の内視鏡用押圧接点７０ｂをそれぞれ突出するように付勢する板ばね等の付勢部材が配設されている。したがって、前記超音波用押圧接点７０ａ及び内視鏡用押圧接点７０ｂは板ばねの付勢力によって突出状態になっており、これら超音波用押圧接点７０ａ及び内視鏡用押圧接点７０ｂの先端側から前記付勢力より大きな外力が働いたとき、超音波用押圧接点７０ａ及び内視鏡用押圧接点７０ｂは板ばねの付勢力に抗して後退移動する。
【００２９】
前記ケーブルコネクタ６１は、前記超音波用接続部６８及び内視鏡用接続部６９が突出する貫通孔を形成した略筒状のケーブルコネクタ本体７１と、このケーブルコネクタ本体７１の底部に配置され、前記超音波用接続部６８及び内視鏡用接続部６９を搭載したケーブル基板７２と、前記ケーブルコネクタ本体７１の開口側に配置され、ケーブルコネクタ本体７１の内部空間を複数の空間部に分割するケーブル側シールド部材７３とで主に構成されている。
【００３０】
前記ケーブルコネクタ本体７１の外周面所定位置には前記円筒凸部３５ａの直線溝３５ｂに係入する凸部７１ａが設けられている。また、このケーブルコネクタ本体７１の外周側には、前記円筒凸部３５ａの外側に配置される、取付け固定用管状部材７４が前記ケーブルコネクタ本体７１に対して回動自在に配置されている。なお、図３（ｃ）に示すように前記取付け固定用管状部材７４の側周面には、前記突起部３５ｃが係入するカム溝７４ａが形成されている。
【００３１】
前記ケーブル基板７２の一面側表面の所定位置には前記超音波用接続部６８及び内視鏡用接続部６９が設けられている。一方、前記ケーブル基板７２の他面側には複数の超音波用押圧接点７０ａにそれぞれ対応する複数の超音波用端子７５ａ及び複数の内視鏡用押圧接点７０ｂにそれぞれ対応する複数の内視鏡用端子７５ｂが突設している。そして、前記超音波用端子７５ａには前記超音波装置用コネクタ６６の図示しない端子に他端部が接続される超音波信号線７５ｃの一端部が電気的に接続され、前記内視鏡用端子７５ｂには前記内視鏡装置用コネクタ６７の図示しない端子に他端部が接続される内視鏡信号線７５ｄの一端部が電気的に接続されている。
【００３２】
なお、前記基板の一面側、他面側の所定位置には電極及び配線がパターン印刷されており、前記ケーブル側シールド部材７３は図示しないグランド電極に導通した状態になっている。また、前記超音波信号線７５ｃはひとまとめにされて超音波用ケーブル６４として形成され、前記内視鏡信号線７５ｄはひとまとめにされて内視鏡用ケーブル６５として形成される。さらに、この内視鏡用ケーブル６５と超音波用ケーブル６４とをひとまとめにして信号伝送ケーブル６２が形成されている。
【００３３】
上述のように構成した超音波内視鏡装置１の作用を説明する。
超音波内視鏡２を使用する際、前記電気ケーブル６の超音波装置用コネクタ６６を超音波観測装置４に接続するとともに、前記内視鏡装置用コネクタ６７を内視鏡観察装置５に接続する。
【００３４】
次に、前記電気ケーブル６のケーブルコネクタ６１のケーブルコネクタ本体７１に設けられている凸部７１ａを、前記超音波内視鏡２の電気コネクタ３４の円筒凸部３５ａに設けられている直線溝３５ｂに対向させる。そして、前記ケーブルコネクタ本体７１を前記円筒凸部３５ａの内孔に挿入していく。すると、前記円筒凸部３５ａの突起部３５ｃが固定用管状部材７４に形成されているカム溝７４ａに係入状態になる。
【００３５】
この状態で、前記ケーブルコネクタ本体７１を、前記円筒凸部３５ａの底面に向けて押し込んでいく。すると、前記ケーブルコネクタ６１を構成する超音波用接続部６８の超音波用押圧接点７０ａ及び内視鏡用接続部６９の内視鏡用押圧接点７０ｂの先端が前記電気コネクタ３４を構成する振動子用接続部３２の振動子側電極３６ａ及び撮像素子用接続部３３の素子側電極３６ｂに当接する。
【００３６】
ここで、さらに前記ケーブルコネクタ本体７１を前記円筒凸部３５ａの底面に向けて押し込んでいく。そして、前記突起部３５ｃがカム溝７４ａの下死点７４ｂに到達したところで押し込みが完了する。このとき、前記振動子側電極３６ａ及び素子側電極３６ｂに先端が当接している超音波用押圧接点７０ａ及び内視鏡用押圧接点７０ｂは板ばねの付勢力に抗して後退移動する。
【００３７】
次いで、前記固定用管状部材７４部材を所定方向に回転させて前記突起部３５ｃをカム溝７４ａの固定保持位置７４ｃに配置させる。このことによって、ケーブルコネクタ６１の電気コネクタ３４への接続が完了して、超音波観測装置４及び内視鏡観察装置５と超音波内視鏡２とが電気的な接続状態になる。このとき、前記超音波用押圧接点７０ａ及び内視鏡用押圧接点７０ｂは振動子側電極３６ａ及び素子側電極３６ｂに板ばねで付勢された状態で接触している。
【００３８】
なお、前記ケーブルコネクタ６１を電気コネクタ３４から取り外す際には、前記固定用管状部材７４部材を前記所定方向と逆方向に回転させる。このことによって、前記突起部３５ｃがカム溝７４ａに対して移動自在になるので、この状態で前記ケーブルコネクタ６１を引き上げるように移動させる。このことによって、前記電気コネクタ３４からスムーズにケーブルコネクタ６１が取り外せる。そして、使用済みの超音波内視鏡２を洗浄消毒する際には、前記電気コネクタ３４に図示しない水密キャップを装着する。
【００３９】
このように、超音波内視鏡の内視鏡コネクタに振動子用接続部及び撮像素子用接続部とを一体にした電気コネクタを設けるとともに、前記超音波内視鏡と超音波観測装置及び内視鏡観察装置とを電気的に接続する電気ケーブルの一端部に、前記電気コネクタに着脱自在で、前記振動子用接続部及び撮像素子用接続部に電気的に接続される超音波用接続部及び内視鏡用接続部を一体にしたケーブルコネクタを設けることによって、このケーブルコネクタを電気コネクタに着脱することにより、超音波内視鏡と超音波観測装置及び内視鏡観察装置とを電気的に接続することができる。
【００４０】
このことによって、作業性が大幅に向上するばかりでなく、電気ケーブルが１本になったことによって備品管理が軽減されるとともに、超音波内視鏡の内視鏡コネクタに設けられるコネクタが１つになって超音波内視鏡或いは内視鏡に関わらず電気ケーブルの取付けが一か所になって、作業ミスによる不具合がなくなる。また、検査終了後の洗浄消毒の際にも水密キャップの装着忘れがなくなる。
【００４１】
また、各コネクタの振動子用接続部及び撮像素子用接続部を構成する端子及びケーブルや超音波用接続部及び内視鏡用接続部を構成する端子及び信号線をシールド部材を配置して構成されるシールド空間に配置したことによって、電気的な干渉による不具合の発生を防止することができる。
【００４２】
さらに、超音波内視鏡側の電気コネクタと電気ケーブルのケーブルコネクタとの電気的接続を、基板に設けたパターン電極に押圧接点を所定の付勢力で押圧して電気的に接触させたことによって、安定した導通状態を保持することができるとともに、コネクタ同士の着脱を大きな力量を必要することなくスムーズに行うことができる。
【００４３】
又、電気コネクタに直線溝を設ける一方、ケーブルコネクタに凸部を設けたことによって、電気コネクタとケーブルコネクタとの装着作業をスムーズに行うことができる。
【００４４】
なお、電気的な干渉による不具合の発生を防止するためにシールド部材３７、７３を配置させる代わりに、コネクタ３４、６１内に各接続部３２、３３、６８、６９を配置する際、これら接続部３２、３３、６８、６９を構成する例えば図４に示すように振動子用接続部３２及び撮像素子用接続部３３を構成する際、それぞれの電極３６ａ、３６ｂを群配列させるとともに、各接続部３２、３３、６８、６９を構成する電気部品のうち、電気的な干渉に影響を及ぼす例えば撮像素子１５を駆動する駆動信号を伝送する駆動信号用の電極３６Ｃと、超音波振動子１４を駆動する駆動信号を伝送する駆動信号用の電極３６Ａ及びこの超音波振動子１４から伝送される電気信号を伝送する画像信号用電極３６Ｂとの距離を最も離れた位置関係になるように配置する。このことによって、簡単な構成で電気的な干渉による不具合の発生が防止される。
【００４５】
また、図示は省略するが、前記超音波観測装置４と前記内視鏡観察装置５とを一体にした超音波観測／内視鏡装置を構成して、この超音波観測／内視鏡装置に前記電気コネクタの構成と略同様の接続コネクタを１つ設ける一方、電気ケーブルの両端部にそれぞれ１つのケーブルコネクタを設けることによって、超音波観測装置及び内視鏡観察装置と超音波内視鏡との着脱を更に容易に行える。
【００４６】
尚、本発明は、以上述べた実施形態のみに限定されるものではなく、発明の要旨を逸脱しない範囲で種々変形実施可能である。
【００４７】
［付記］
以上詳述したような本発明の上記実施形態によれば、以下の如き構成を得ることができる。
【００４８】
（１）挿入部の先端部に超音波振動子及び撮像素子を備え、ユニバーサルコードの基端部に設けられた内視鏡コネクタに前記超音波振動子に電気的に接続される振動子用接続部及び前記撮像素子に電気的に接続される撮像素子用接続部を一体に形成した電気コネクタを設けた超音波内視鏡と、
この超音波内視鏡の超音波振動子を駆動する駆動信号の生成及び前記超音波振動子から伝送された電気信号を基に超音波観察画像用の映像信号を生成する信号処理部を有する超音波観測装置と、
前記超音波内視鏡の撮像素子を駆動する駆動信号の生成及び撮像素子から伝送された画像信号を基に内視鏡観察画像用の映像信号を生成する信号処理部を有する内視鏡観察装置と、
前記超音波内視鏡の電気コネクタに接続され、前記振動子用接続部と電気的に接続される超音波用接続部及び前記撮像素子用接続部と電気的に接続される内視鏡用接続部を一体に形成したケーブルコネクタを備え、このケーブルコネクタから延出する１本の信号伝送ケーブルの中途部で分岐して、前記内視鏡観察装置及び前記超音波観測装置にそれぞれ接続される内視鏡コネクタ及び超音波用コネクタを有する電気ケーブルと、
を具備する超音波内視鏡装置。
【００４９】
（２）前記振動子用接続部及び前記撮像素子用接続部を構成する内視鏡側電気接点を前記電気コネクタ内に併設させるとともに、前記超音波用接続部及び前記内視鏡用接続部を構成するケーブル側電気接点を前記ケーブルコネクタ内に併設させた付記１に記載の超音波内視鏡装置。
【００５０】
（３）前記電気コネクタ内の内視鏡側電気接点をパターン電極で形成し、前記ケーブルコネクタ内のケーブル側電気接点を付勢部材で突出方向に常時付勢される押圧接点で形成した付記２記載の超音波内視鏡装置。
【００５１】
（４）前記超音波内視鏡の電気コネクタ内及び前記電気ケーブルのケーブルコネクタ内を、電気的な干渉を防止する複数のシールド空間に分割した付記１に記載の超音波内視鏡装置。
【００５２】
（５）前記コネクタ内に各接続部を構成する電気部品を群にして配列するとき、各接続部を構成する電気部品のうち、電気的な干渉に影響を及ぼす電気部品同士を、距離が最も離れる位置関係に配置した付記１に記載の超音波内視鏡装置。
【００５３】
【発明の効果】
以上説明したように本発明によれば、取扱い作業性に優れた超音波内視鏡装置を提供することができる。
【図面の簡単な説明】
【図１】図１ないし図４は本発明の一実施形態に係り、図１は超音波内視鏡装置を説明する図
【図２】超音波内視鏡の内視鏡コネクタを説明する図
【図３】電気ケーブルのケーブルコネクタを説明する図
【図４】コネクタに設けられる各接続部を構成する電気接点の配置例を説明する図
【図５】従来の超音波内視鏡装置を説明する図
【符号の説明】
１…超音波内視鏡装置
２…超音波内視鏡
４…超音波観測装置
５…内視鏡観察装置
６…電気ケーブル
３０…内視鏡コネクタ
３２…振動子用接続部
３３…撮像素子用接続部
３４…電気コネクタ
３６ａ、３６ｂ…電極
６１…ケーブルコネクタ
６８…超音波用接続部
６９…内視鏡用接続部
７０ａ、７０ｂ…押圧接点
【図１】
2004166916.tif 000003
【図２】
2004166916.tif 000004
【図３】
2004166916.tif 000005
【図４】
2004166916.tif 000006
【図５】
2004166916.tif 000007